(57)【要約】      （修正有）【課題】複数のコインを無造作に投入することができるとともに、そのスリットに詰りが生じたとき、投入者自身がその詰まりを取除くことができる構造の簡単なコイン投入装置を提供する。【解決手段】コイン投入部に傾斜した平面状の底面１を有するコイン投入皿２を設け、コイン投入皿２の奥行き側の側壁８の下端縁と底面１との間にスリットを設け、そのスリットの長さをコインの直径の２倍以上でかつ、その高さが１枚のコインの厚み以上で２枚のコインの厚みに満たないようにする。そして、コイン投入皿２に同時に投入される複数枚のコインを投入者がそのコイン投入皿２上で平面的に整理できるように、そのコイン投入皿２が投入者側に露出して開口されていることを特徴とする。【選択図】図１
0003145497.tif 000002
【実用新案登録請求の範囲】
【請求項１】
皿状に形成されると共に、その平面における幅がコイン直径の二倍以上で、その奥行きが前記直径の一倍以上の平坦な底面(1)を有し、その底面(1)が奥行き側に下り傾斜したコイン投入皿(2)と、
コイン投入皿(2)の奥行き側の側壁(8) の下端縁と底面(1)との間に前記幅方向に形成され、一枚のコインの厚み以上で二枚のコインの厚みに満たない高さで且つ、前記コイン直径の二倍以上の長さのスリット(3)と、
そのスリット(3)を介して前記底面(1)の延長方向に連結され、下り傾斜する第１搬送路(4)と、
第１搬送路(4)の下端に重力方向に連結され、通路下端部の横断面の開口短辺がコイン一枚の厚み以上で二枚に満たない第２搬送路(5)と、
第２搬送路(5)の下端に連結されたスリット状通路であって、コイン一枚のみ通過する開口を有する第３搬送路(6)と、を具備し、
前記コイン投入皿(2)に同時に投入される複数のコインを、投入者がその投入皿(2) 上で平面的に整理できるように、その投入皿(2)が開口されていることを特徴とするコイン投入装置。
【請求項２】
請求項１において、
前記投入皿(2)の幅と前記第１搬送路(4)の幅と前記第２搬送路(5)の上流端の幅とが同一であるコイン投入装置。
【請求項３】
請求項１または請求項２において、
前記コイン投入皿(2)の奥行き側の側壁(8) が、手前側にコイン半径に満たない奥行き長さの段付きに形成された段部(8a)を有するコイン投入装置。
【請求項４】
請求項１〜請求項３のいずれかにおいて、
前記コイン投入皿(2)の奥行き側の側壁下端縁に可撓性の抵抗部材(10)が垂下されたコイン投入装置。
【考案の詳細な説明】
【技術分野】
【０００１】
本考案は各種の自動販売機やゲーム機に利用可能なコイン投入装置に関し、特に複数枚のコインを同時に投入することのできるものに関する。
【背景技術】
【０００２】
種々の自動販売機にはスリット状に形成されたコイン投入口から１枚づつコインを投入するものが多い。また、複数枚のコインを同時に投入することができるものとして下記特許文献のものが提案されている。これらは複数枚のコインを厚み方向に重ね合わせて同時に投入するものと、複数枚のコインを無造作に同時に開口の大きな口に投入するものとが存在する。
【０００３】
前者は各コインを厚み方向に整合させた状態で、同時に投入口に押込み、最先端のコインから順番にスリットを降下させるものである。後者はコインが重なって流れた場合に、楔状にコインが詰まることを防止するため、可動傾斜板とモータとカムとを設け、それらによりコインを一枚づつ分離するものである。
【０００４】
【特許文献１】特開平６−６８３４５号公報
【特許文献２】特公平６−３４２７１号公報
【特許文献３】特開平５−１６６０３３号公報
【考案の開示】
【考案が解決しようとする課題】
【０００５】
複数枚のコインを同時に投入することができるコイン投入装置であって、前者は複数枚のコインを互いに整合するように重ね合わせて投入口に投入する面倒がある。また、後者は無造作に多数枚のコインを投入可能な投入口を有するものであり、カムを駆動するカム付モータ等を要し、構造が複雑となる欠点があった。
そこで本考案は構造が簡単で複数枚のコインを無造作に投入することができるとともに、そのコイン通路となるスリット部において、コインが楔状の詰まることを簡単な構造で防止し、信頼性が高い、低コストのコイン投入装置を提供することを課題とする。
【課題を解決するための手段】
【０００６】
請求項１に記載の本考案は、皿状に形成されると共に、その平面における幅がコイン直径の二倍以上で、その奥行きが前記直径の一倍以上の平坦な底面(1)を有し、その底面(1)が奥行き側に下り傾斜したコイン投入皿(2)と、
コイン投入皿(2)の奥行き側の側壁(8) の下端縁と底面(1)との間に前記幅方向に形成され、一枚のコインの厚み以上で二枚のコインの厚みに満たない高さで且つ、前記コイン直径の二倍以上の長さのスリット(3)と、
そのスリット(3)を介して前記底面(1)の延長方向に連結され、下り傾斜する第１搬送路(4)と、
第１搬送路(4)の下端に重力方向に連結され、通路下端部の横断面の開口短辺がコイン一枚の厚み以上で二枚に満たない第２搬送路(5)と、
第２搬送路(5)の下端に連結されたスリット状通路であって、コイン一枚のみ通過する開口を有する第３搬送路(6)と、を具備し、
前記コイン投入皿(2)に同時に投入される複数のコインを、投入者がその投入皿(2) 上で平面的に整理できるように、その投入皿(2)が開口されていることを特徴とするコイン投入装置である。
【０００７】
請求項２に記載の本考案は、請求項１において、
前記投入皿(2)の幅と前記第１搬送路(4)の幅と前記第２搬送路(5)の上流端の幅とが同一であるコイン投入装置である。
請求項３に記載の本考案は、請求項１または請求項２において、
前記コイン投入皿(2)の奥行き側の側壁(8) が、手前側にコイン半径に満たない奥行き長さの段付きに形成された段部(8a)を有するコイン投入装置である。
請求項４に記載の本考案は、請求項１〜請求項３のいずれかにおいて、
前記コイン投入皿(2)の奥行き側の側壁下端縁に可撓性の抵抗部材(10)が垂下されたコイン投入装置である。
【考案の効果】
【０００８】
本考案のコイン投入装置は、コイン投入皿２の幅がコイン２枚以上の長さで、奥行きが１枚以上の大きさを有し、そのコイン投入皿２上に複数枚のコインを同時に投入したときにコインどうしが重なった場合、そのコイン投入皿２上で投入者がコインの重なりを平面的に整理できる。そのため、各コインが詰まることなく、スリット部３を通過する。しかも、そのコイン投入皿２の底面１に設けられたスリット３の長さがコイン直径の２倍以上であるから、そのスリット３を介して複数枚のコインを同時に第１搬送路４に通過させ、第２搬送路５を介して最終的に第３搬送路６によりコインを１枚づつ分離して搬送することができる。それにより、迅速にコインを処理できる投入装置となる。
上記構成において、コイン投入皿２の幅と第１搬送路４の幅と第２搬送路５の上流端の幅とを同一にすることができる。この場合には、第２搬送路５の入口まで複数のコインを同時に搬送し、迅速な搬送処理が可能となる。
【０００９】
上記構成において、コイン投入皿２の奥行き側の側壁８を手前側に段付にした段部8aを設けることができる。この場合には、段部8aに衝突した複数のコインを互いに分離し、スリット３に複数コインが詰ることを効果的に防止しうる。
上記構成において、コイン投入皿２の奥行き側の側壁８の下端縁に可撓性の抵抗部材１０を配置することができる。この場合には、その抵抗部材１０によって上下方向に重なる複数のコインを整理して、各コインをスリット３に１枚づつ自動的に供給することができる。
【考案を実施するための最良の形態】
【００１０】
図１は本考案のコイン投入装置の斜視図であり、図２は図１のII-II矢視断面略図、図３は図１のIII-III矢視断面図である。
このコイン投入装置は、各種自動販売機やゲーム機等に取り付けられ、その下流端の第３搬送路６の先端がコインの判別装置等に接続されるものである。この装置は、傾斜した底面１を有するコイン投入皿２と、その底面１に延在された第１搬送路４と、第２搬送路５および第３搬送路６とを順に有する。
【００１１】
コイン投入皿２は、四周に側壁を有し、その底面１が平坦に形成され、その幅がコインの直径の２倍以上で奥行きの長さが直径の等倍以上である。その底面１は奥行き側に下り傾斜している。そのコイン投入皿２の奥行き側の側壁８の下端縁と底面１との間にはコインの通路となるスリット３が形成されている。なお、底面１の傾斜は、コインの自重でその底面１を流下する程度である。
スリット３の高さは１枚のコインの厚み以上でかつ２枚のコインの厚みに満たない。そしてそのスリット３の長さはコイン直径の２倍以上である。すなわち、スリット３からは２枚以上のコインが同時に進入しうる。また、コイン投入皿２は２枚以上のコインが平面的に並列するように投入できる。なお、奥行き側の側壁８は図１および図２から明らかなように、その中間高さにおいて段つきに形成された段部８ａを有する。この段部８ａの奥行き長さはコイン半径に満たない。これは投入時にコイン７が段部８ａに衝突したとき、そこから底面１に転倒するようにしたものである。
【００１２】
次に、底面１はスリット３を介して第１搬送路４が延在されている。この第１搬送路４も奥行き側に下り傾斜する。ついで第１搬送路４の下端には、この例では急傾斜面５ａと垂直面５ｂとが順次形成され第２搬送路５を構成する。すなわち第２搬送路５の下端部は垂直面５ｂで形成されている。そして、それら急傾斜面５ａ、垂直面５ｂに対向し垂直な内壁９が設けられている。その内壁９と垂直面５ｂとの間がスリット状通路に形成され、そのスリット幅はコイン１枚分であり、その長さは２枚以上である。次いで第２搬送路５の下端には第３搬送路６が接続されている。この第３搬送路６も下流側に下り傾斜する。第３搬送路６の幅および高さはコイン１枚分のみ通過できる開口を有する。それにより、最終的にコインは一枚づつ本装置から排出される。
【００１３】
このように構成されたコイン投入装置において、本考案の特に顕著な特徴は、コイン投入皿２の構造である。このコイン投入皿２には同時に複数のコインを投入することができる。そして、底面１に平面的に複数のコインを並列しうる。ところで、コイン投入皿２上でコインどうしが重なると、重なった状態で底面１を流下し、図４のごとく、２枚のコイン７、７ａが楔状にかみ合って、それらが下方に流れない場合が生じる。この場合、底面１上で投入者が下側のコイン７ａを上流側に矢印のごとく引き上げれば、上側のコイン７が底面１に接地し、自然に重力により下流側に流下する。そのために、コイン投入皿２は投入者側に露出して開口する。
投入皿は、底面１の奥行き方向長さが少なくても２倍存在することが望ましい。それによって下側のコイン７ａを確実に上方に引き上げて、上のコイン７を流下させることができる。
【００１４】
図１のごとく投入された複数のコイン７は、コイン投入皿２上を流下し、スリット３を通過する。複数のコイン７が幅方向に並列した場合には、それらが同時にスリット３を通過する。スリット３を通過すると、第１搬送路４を介し、第２搬送路５の急傾斜面５ａに導かれる。そして、コイン７はその急傾斜面5aを流下し、それに対向する内壁９に衝突し、垂直面５ｂに導かれる。垂直面５ｂに落下したコイン７は図３のごとく第３搬送路６に導かれる。なお、第２搬送路５の下端では複数のコイン７が同時に存在する場合がある。この場合には、第３搬送路６に近い側から、コインは順次１枚づつ搬送され、図示しないコイン判別装置等に供給される。
【００１５】
次に、図５は側壁８の下端の他の実施例であり、この実施例は側壁８の下端に可撓性のゴム材またはプラスチック材等からなる抵抗部材１０か垂下され、それにより複数のコイン７，７ａの重なりを自動的に防止するものである。すなわち、上下にコイン７ａとコイン７とが重なって底面１上を移動したとき、下側のコイン７は、抵抗部材１０の先端と第１搬送路４との隙間を円滑に流下するが、上側のコイン７ａは抵抗部材１０に衝突して一時的に停止される。そして、下側のコイン７が下方に流下したとき、ついで上のコイン７ａが下方に流下する。なお、図２においてコイン７が衝突する内壁９の部分に同様の抵抗性のある材質を配置することができる。それによりコイン７がより円滑に第１搬送路４に誘導される。
【図面の簡単な説明】
【００１６】
【図１】本考案のコイン投入装置の斜視図。
【図２】図１のII-II矢視断面略図。
【図３】図１のIII-III矢視断面略図。
【図４】本考案の作用を示す説明図。
【図５】本考案のコイン投入装置の側壁８の他の例を示す説明図。
【符号の説明】
【００１７】
１  底面
２  コイン投入皿
３  スリット
４  第１搬送路
５  第２搬送路
５ａ  急傾斜面
５ｂ  垂直面
【００１８】
６  第３搬送路
７  コイン
７ａ  コイン
８  側壁
８ａ  段部
９  内壁
10  抵抗部材
【図１】
0003145497.tif 000003
【図２】
0003145497.tif 000004
【図３】
0003145497.tif 000005
【図４】
0003145497.tif 000006
【図５】
0003145497.tif 000007